(57)【要約】【課題】熱源機からの温水温度が低い場合に、最適な温度まで上昇させる浴室換気乾燥機を提供する。【解決手段】浴室を暖房する暖房用温水回路１０と、暖房用温水回路１０と並列的に噴霧用加熱回路１３を備え、暖房用温水回路１０とは別に給水する水を噴霧用加熱水−水熱交換器１１で温水に加熱し、浴室内に直接その温水を噴霧する噴霧用ノズル１６と、噴霧する温水流量を調節する噴霧用流量調節弁とを設けた噴霧回路１７、噴霧回路１７と並列的に接続された微細用ノズル１８と、微細量調節弁２２を設けた微細回路２０を設けた構成によって、暖房用温水回路１０および噴霧用加熱回路１３のいずれかの位置に補助電気ヒータ２３を設けたことにより、熱源機１からの温水温度を最適な温度まで上昇させる浴室換気乾燥機を提供できる。【選択図】図１
2008008529.tif 000002
【特許請求の範囲】
【請求項１】
暖房用熱交換器および暖房用流量調節弁を設け、浴室を暖房する暖房用温水回路と、前記暖房用温水回路と並列的に接続された噴霧用水−水熱交換器および噴霧用流量調節弁を設けた噴霧用加熱回路を備え、前記暖房用温水回路とは別に給水する水を前記噴霧用加熱水−水熱交換器で温水に加熱し、浴室内に直接その温水を噴霧する噴霧用ノズルと、噴霧する温水流量を調節する噴霧用流量調節弁とを設けた噴霧回路、前記噴霧回路と並列的に接続された微細用ノズルと、微細量調節弁を設けた微細回路を設けた構成によって、前記暖房用温水回路および前記噴霧用加熱回路のいずれかの位置に補助電気ヒータを設けたことを特徴とする浴室換気乾燥機。
【請求項２】
補助電気ヒータを、暖房用熱交換器の上流側に設けたことを特徴とする請求項１記載の浴室換気乾燥機。
【請求項３】
補助電気ヒータを、噴霧用加熱水−水熱交換器の上流側に設けたことを特徴とする請求項１記載の浴室換気乾燥機。
【請求項４】
補助電気ヒータを、噴霧用加熱水−水熱交換器と噴霧回路および微細回路との間に設けたことを特徴とする請求項１記載の浴室換気乾燥機。
【請求項５】
温水の温水温度を検知する検知手段と、補助電気ヒータの加熱量を制御するための制御手段とを備えたことを特徴とする請求項１〜４のいずれかに記載の浴室換気乾燥機。
【請求項６】
検知手段を、噴霧用加熱水−水熱交換器と噴霧回路および微細回路の間に設けたことを特徴とする請求項５記載の浴室換気乾燥機。
【請求項７】
検知手段を、噴霧用ノズルと微細用ノズルに一体にすることを特徴とする請求項１、５、６のいずれかに記載の浴室換気乾燥機。
【発明の詳細な説明】
【技術分野】
【０００１】
本発明は、暖房や換気、簡易のミストサウナ機能を搭載し、浴室を利用して洗濯物を乾燥させる浴室換気乾燥機に関する。
【背景技術】
【０００２】
近年、一般家庭における浴室の換気装置の設置が多くなるに伴い、浴室を利用して洗濯物を乾燥させる乾燥機能を有した浴室換気乾燥機が普及してきている。
【０００３】
また、建築基準法が改正され新築住宅にあっては常時換気の機能を有する換気装置の設置が義務付けられ、ますますこの種の装置の普及が拡大してきている。
【０００４】
また、この種の装置は熱源を電気ヒータ等による電気式のものとガスによる温水を利用するものとがあり、お互いのシェアアップのために機能向上において切磋琢磨している。
【０００５】
しかし、つい最近、ガスによる温水を熱源とする装置で簡易で快適なミストサウナ機能を有したものが発売され新機能として注目をあびている。
【０００６】
よって、電気式の装置でも電気を利用して温水を供給する熱源をこの種の装置に接続し簡易で快適なミストサウナ機能を有した機種の開発がおこなわれている。
【０００７】
従来、この種の装置は図６に示すものが知られている（例えば、特許文献１参照）。
【０００８】
以下、その浴室換気乾燥機について、図６を参照しながら説明する。
【０００９】
図６に示すように、温水を供給する熱源機１０２から８０℃の温水が供給され、浴室空間１０３から取り込まれる空気を加熱する加熱手段１０４と温水の水滴を破砕する水破砕手段１０５と、この水破砕手段１０５により破砕された水滴を大粒の水滴と微細な水滴とに分離する気液分離手段１０６とを含む加湿手段１０７を備え、加熱手段１０４により加熱された空気を浴室空間１０３内に送風する加熱送風手段１０８と加湿手段１０７により加湿された空気を浴室空間１０３内に送風する加湿送風手段１０９とを有し、加熱手段１０４、加湿手段１０７、加熱送風手段１０８、加湿送風手段１０９は浴室換気乾燥機本体１０１内に配置されている構成をしている。
【００１０】
この装置において、浴室空間１０３内に送風された暖房風と加湿空気により、簡易で快適なミストサウナ空間をつくりあげることができる。
【特許文献１】特開２００６−２５９６７号公報
【発明の開示】
【発明が解決しようとする課題】
【００１１】
しかしながら、以上説明した従来の乾燥機は次のような課題がある。
【００１２】
ガスを利用して温水を供給する熱源機に対して、電気を利用して温水を供給する熱源機は温水温度が低く、そのためガスを利用して温水を供給する熱源機に対して浴室を暖房する能力が低くなり、冷風感を感じる場合がある。さらに、噴霧する温水温度も低くなりガスを利用するものに比べ電気を利用するものは十分にミストサウナ機能としての能力を発揮できないという課題がある。
【００１３】
本発明は、このような従来の課題を解決するものであり、電気を利用して温水を供給する熱源と接続し簡易で快適なミストサウナ機能を有する浴室換気乾燥機において、暖房用の温水温度も適切な温水温度にし、かつ噴霧する温水温度も適切な温水温度にし、前述のような課題を解決することを目的としている。
【課題を解決するための手段】
【００１４】
本発明の浴室換気乾燥機は上記目的を達成するために、暖房用熱交換器および暖房用流量調節弁を設け、浴室を暖房する暖房用温水回路と、前記暖房用温水回路と並列的に接続された噴霧用水−水熱交換器および噴霧用流量調節弁を設けた噴霧用加熱回路を備え、前記暖房用温水回路とは別に給水する水を前記噴霧用加熱水−水熱交換器で温水に加熱し、浴室内に直接その温水を噴霧する噴霧用ノズルと、噴霧する温水流量を調節する噴霧用流量調節弁とを設けた噴霧回路、前記噴霧回路と並列的に接続された微細用ノズルと、微細量調節弁を設けた微細回路を設けた構成によって、前記暖房用温水回路および前記噴霧用加熱回路のいずれかの位置に補助電気ヒータを設けたものである。
【００１５】
この手段により、温水温度が低く、能力不足の場合にでも、簡易で快適な簡易ミストサウナ空間を作り出すことができる浴室換気乾燥機が得られる。
【００１６】
また、他の手段は、補助電気ヒータを、暖房用熱交換器の上流側に設けたものである。
【００１７】
この手段により、暖房する能力が低く、冷風感を感じるおそれがある場合に、冷風感を感じないようにすることができる浴室換気乾燥機が得られる。
【００１８】
また、他の手段は、補助電気ヒータを、噴霧用加熱水−水熱交換器の上流側に設けたものである。
【００１９】
この手段により、噴霧する温水温度を適切な温度まで加熱し、快適なミスト空間を作りだすことができる浴室換気乾燥機が得られる。
【００２０】
また、他の手段は、補助電気ヒータを、噴霧用加熱水−水熱交換器と噴霧回路および微細回路との間に設けたものである。
【００２１】
この手段により、前述と同様、噴霧する温水温度を適切な温度まで加熱し、快適なミスト空間を作りだすことができる浴室換気乾燥機が得られる。
【００２２】
また、他の手段は、温水の温水温度を検知する検知手段と、補助電気ヒータの加熱量を制御するための制御手段とを備えたものである。
【００２３】
この手段により、能力を発揮するのに適切な温水温度を常に制御することができる浴室換気乾燥機が得られる。
【発明の効果】
【００２４】
本発明によれば、確実に簡易で快適なミストサウナ空間を作るために必要な温水温度に常に制御でき、適切な簡易ミストサウナ機能を発揮できる浴室換気乾燥機を提供できる。
【発明を実施するための最良の形態】
【００２５】
本発明の請求項１の浴室換気乾燥機は、暖房用熱交換器および暖房用流量調節弁を設け、浴室を暖房する暖房用温水回路と、前記暖房用温水回路と並列的に接続された噴霧用水−水熱交換器および噴霧用流量調節弁を設けた噴霧用加熱回路を備え、前記暖房用温水回路とは別に給水する水を前記噴霧用加熱水−水熱交換器で温水に加熱し、浴室内に直接その温水を噴霧する噴霧用ノズルと、噴霧する温水流量を調節する噴霧用流量調節弁とを設けた噴霧回路、前記噴霧回路と並列的に接続された微細用ノズルと、微細量調節弁を設けた微細回路を設けた構成によって、前記暖房用温水回路および前記噴霧用加熱回路のいずれかの位置に補助電気ヒータを設けたことにより、補助電気ヒータにより、暖房用温水回路に流入する温水も、噴霧用過熱回路に流入する温水も、適切な温水温度（約８０℃）まで加熱することが可能となり、浴室の暖房も冷風感ない温度（約４０℃〜４４℃）まで上昇させ、さらに噴霧する温水も同等な温度（約４０℃〜４４℃）まで上昇させることができ、両者を実現することにより快適なミストサウナ空間を作り出すことができるという作用を有する。
【００２６】
また、本発明の請求項２の浴室換気乾燥機は、補助電気ヒータを、暖房用熱交換器の上流側に設けたことにより、暖房用熱交換器へ低い温度の温水が流入しようとした場合は補助電気ヒータにて加熱し、適切な温度の温水を流入させることにより、浴室への暖房送風を冷風感がない状態にて供給することができるという作用を有する。
【００２７】
また、本発明の請求項３の浴室換気乾燥機は、補助電気ヒータを、噴霧用加熱水−水熱交換器の上流側に設けたことにより、噴霧する水との熱交換をおこなうのに温度を適切な温度まで加熱することができ、噴霧する水を所望する温度まで確実に加熱させ、快適なミスト空間を作りだすことができ、また、熱源機へリターンする温水を加熱しているため、熱源機での省エネにもつながることができるという作用を有する。
【００２８】
また、本発明の請求項４の浴室換気乾燥機は、補助電気ヒータを、噴霧用加熱水−水熱交換器と噴霧回路および微細回路との間に設けたことにより、噴霧する温水を直接加熱することができ、噴霧する際の温水を適切な温度にすることができ、快適なミスト空間を作りだすことができるという作用を有する。
【００２９】
また、本発明の請求項５の浴室換気乾燥機は、温水の温水温度を検知する検知手段と、補助電気ヒータの加熱量を制御するための制御手段とを備えたことにより、補助電気ヒータの加熱量を制御することができ、一定の温水温度に保持することができ、より快適なミスト空間を作りだし、さらに冷風感のない温風を浴室内に供給することができるという作用を有する。
【００３０】
また、本発明の請求項６の浴室換気乾燥機は、検知手段を、噴霧用加熱水−水熱交換器と噴霧回路および微細回路の間に設けたことにより、噴霧する温水の温度を適切に検知し、一定の温水温度に保持することができ、より快適なミスト空間を作りだすことができるという作用を有する。
【００３１】
また、本発明の請求項７の浴室換気乾燥機は、検知手段を、噴霧用ノズルと微細用ノズルに一体にすることにより、噴霧温度に近い温度判断ができ、また、コストも安くすることができるという作用を有する。
【００３２】
以下、本発明の実施の形態について図面を参照しながら説明する。
【００３３】
（実施の形態１）
図１は、実施の形態１に関する構成図である。
【００３４】
浴室換気乾燥機の本体２７に温水を供給する電気を利用した熱源機１から温水が銅管等によって温水入口接続口２に供給され、分岐部３にて２回路に分岐し、片側は暖房用熱交換器４に流れ、循環用送風機５によって浴室の空気を暖房用熱交換器４に送風し、熱交換をさせ、浴室内を暖房する。この時、浴室内の温度を検知する吸込温検知手段６にて検知した温度にて暖房用熱交換器４に流入させる温水量を調節させる暖房用流量調節弁７を設けておく。この構成にすることにより、より室内をすばやく暖房させたい時は暖房用熱交換器４に多くの温水を流すために暖房用流量調節弁７を全開にしておき、浴室内の温度が十分温まってきたら今度は暖房用流量調節弁７を絞り、暖房用熱交換器４に流す温水量を少なくし、省エネもおこないながら浴室内を暖房することができる。前述の暖房用流量調節弁７は図示したように暖房用熱交換器４の上流側に配置しても、下流側に配置しても同効果を有することができる。
【００３５】
この後、温水は合流部８を通って、温水出口接続部９から熱源機１に戻る。前述のこのような温水の流れを暖房用温水回路１０とする。
【００３６】
また、分岐部３にて分岐させたもう片方は噴霧用加熱水−水熱交換器１１に流れ、逆止弁１２から流入させる別の噴霧用の水を加熱させ、合流部８に合流する噴霧用加熱回路１３を構成する。
【００３７】
噴霧用加熱回路１３には、噴霧用の水を加熱させる必要がない場合には、噴霧用加熱回路１３に温水を流入させないようにする、もしくは、噴霧用流量調節弁１４で流量を絞るようにしている。
【００３８】
噴霧用加熱水−水熱交換器１１によって加熱された噴霧用の水はその先、温水となり第２分岐部１５へ流入し、片側は浴室内に直接温水を噴霧ノズル１６にて噴霧される噴霧回路１７に流れる。
【００３９】
そして、噴霧ノズル１６から温水を噴霧することにより浴室空間内を高湿のミストサウナ空間にすることができる。また、もう片側の噴霧用の水は第２分岐部１５から微細用ノズル１８に流入し、微細用ノズル１８から微細用ファンアッシー１９に噴霧され、水滴は高速回転するファンにあたり極微細にされ浴室内に噴霧される微細回路２０に流れる。この微細回路２０は噴霧回路１７と比べるとより水滴を極微細にすることにより、体に加湿による違和感のないソフトなミストサウナ空間にすることができる。
【００４０】
前述の微細用ファンアッシー１９は送風用シロッコファン、ファンケーシング、送風用モーター（いずれも図示せず）などで構成される。
【００４１】
また、前述の噴霧回路１７、および微細回路２０には各々、噴霧量調節弁２１と微細量調節弁２２を有する。短時間にて温水を噴霧しミスト空間が必要な場合は噴霧ノズル１６から一気に噴霧する必要があり、噴霧回路１７に温水を流し、噴霧ノズル１６から噴霧する。そのときは、噴霧量調節弁２１を全開にし、微細量調節弁２２を全閉にする。そうして浴室内がミスト空間になった場合は逆に微細回路２０に温水を流し、ソフトにミスト空間を維持するために温水を微細回路２０に流す必要があり、その場合は噴霧量調節弁２１を全閉、微細量調節弁２２を全開にする。当然短時間のうちに各々の噴霧量調節弁２１、微細量調節弁２２の開度を変化させると、浴室内の快適な空間が保持できなくなるため徐々に開度を除変させていく。
【００４２】
さらに、前述の暖房用温水回路１０、及び噴霧用加熱回路１３のいずれかの位置に補助電気ヒータ２３を有し、電気を利用する熱源機１から供給されてくる温水を加熱し所望の温度まで加熱することができる構成とする。図示では温水入口接続口２と分岐部３との間に補助電気ヒータ２３を設置した構成図である。この補助電気ヒータ２３の運転は暖房用熱交換の上流側に設けてある暖房用温水温度検知手段２４の検知した温度によって制御する。一般的には８０℃〜８５℃となるように補助電気ヒータ２３の運転−停止をおこなう。
【００４３】
また、補助電気ヒータ２３の形と種類については、シーズヒータのリング形状を温水回路に直接巻きつけ、配管の中を流れる温水を加熱する方法や、またシーズヒータ以外にもセラミックＰＴＣヒータの素子を温水回路に直接貼り付け、配管の中を流れる温水を加熱する方法などがある。
【００４４】
上記構成により、前述にも述べたが暖房用温水回路１０に流入する温水も、噴霧用過熱回路１３に流入する温水も、適切な温水温度まで過熱することが可能となり、浴室の暖房も冷風感ない温度（約４０℃〜４４℃）まで上昇させ、さらに噴霧する温水も同等な温度（約４０℃〜４４℃）まで上昇させることができ、両者を実現することにより簡易で快適なミストサウナ空間を作り出すことができる。
【００４５】
（実施の形態２）
図２については、実施の形態２に関する構成図であり、実施の形態１と同構成については同符号を付し、詳細な説明は省略する。
【００４６】
補助電気ヒータ２３Ａは暖房用熱交換器４の上流側、かつ分岐部３より下流側に配置する。暖房用熱交換器４へ低い温度の温水が流入しようとした場合は補助電気ヒータ２３Ａを運転し、暖房用熱交換器４へ適切な温度（約８０℃）の温水を流入させることにより、浴室への暖房送風を冷風感がない状態にて供給することができる。
【００４７】
（実施の形態３）
図３については、実施の形態３に関する構成図であり、実施の形態１、２と同構成については同符号を付し、詳細な説明は省略する。
【００４８】
補助電気ヒータ２３Ｂは噴霧用加熱水−水熱交換器１１の上流側、かつ、分岐部３より下流に配置する。噴霧用加熱水−水熱交換器１１へ低い温度の温水が流入しようとした場合は補助電気ヒータ２３Ｂを運転し、噴霧用加熱水−水熱交換器１１へ適切な温度（約８０℃）の温水を流入させることにより、噴霧する水を所望する温度まで確実に加熱させ、快適なミスト空間を作りだすことが可能となる。
【００４９】
また、補助電気ヒータ２３Ｂの運転は、噴霧用加熱水−水熱交換器１１の上流側に設けてある噴霧用水―水熱交換器温度検知手段２５の検知した温度によって制御する。
【００５０】
（実施の形態４）
図４については、実施の形態４に関する構成図であり、実施の形態１〜３と同構成については同符号を付し、詳細な説明は省略する。
【００５１】
補助電気ヒータ２３Ｃを、噴霧用加熱水−水熱交換器１１と第２分岐部１５の間に設置する。また、この補助電気ヒータ２３Ｃの運転制御は噴霧用温水温度検知手段２５Ａの検知した温度によって制御手段２６によって制御する。一般的には噴霧温水温度は４３〜４５℃になるように補助電気ヒータ２３Ｃを運転、あるいは停止させ温水温度を制御する。
【００５２】
これにより、浴室内に噴霧する温水温度を適切な温度に保持することができるため快適なサウナ空間にすることができる。
【００５３】
（実施の形態５）
図５については、実施の形態５に関する構成図であり、実施の形態１〜４と同構成については同符号を付し、詳細な説明は省略する。
【００５４】
補助電気ヒータ２３Ｄを、噴霧用加熱水−水熱交換器１１と第２分岐部１５の間に設置する。また各々のノズルは噴霧用温水温度検知手段２５Ｂ、噴霧用温水温度検知手段２５Ｃを一体化して有する、噴霧ノズル１６Ａ、微細用ノズル１８Ａである。また、各々の検知手段によって検知された温度は制御手段２６Ａによって一般的には噴霧温水温度は４３〜４５℃になるように、補助電気ヒータ２３Ｄの運転、停止を制御する。
【００５５】
これにより、一体となっているため、より噴霧温度に近い温度判断ができ、さらに一体化しているため、コストも安く、浴室内に噴霧する温水温度を適切な温度に保持することができるため快適なサウナ空間にすることができる。
【産業上の利用可能性】
【００５６】
本発明の浴室換気乾燥機の温水の供給構成は、熱源機からの温水が低い場合でも適切な温水を供給できる構成によって、空調機、送風機等に設けられている温水の供給構成にも適用できる。
【図面の簡単な説明】
【００５７】
【図１】本発明の実施の形態１の浴室換気乾燥機における構成図
【図２】本発明の実施の形態２の浴室換気乾燥機における構成図
【図３】本発明の実施の形態３の浴室換気乾燥機における構成図
【図４】本発明の実施の形態４の浴室換気乾燥機における構成図
【図５】本発明の実施の形態５の浴室換気乾燥機における構成図
【図６】従来の浴室換気乾燥機における構成図
【符号の説明】
【００５８】
４      暖房用熱交換器
１０    暖房用温水回路
１１    噴霧用加熱水−水熱交換器
１３    噴霧用加熱回路
１６    噴霧用ノズル
１６Ａ  噴霧用ノズル
１７    噴霧回路
１８    微細用ノズル
１８Ａ  微細用ノズル
２０    微細回路
２２    微細量調節弁
２３    補助電気ヒータ
２３Ａ  補助電気ヒータ
２３Ｂ  補助電気ヒータ
２３Ｃ  補助電気ヒータ
２３Ｄ  補助電気ヒータ
２４    暖房用温水温度検知手段
２５    噴霧用水−水熱交換器温度検知手段
２５Ａ  噴霧用温水温度検知手段
２５Ｂ  噴霧用温水温度検知手段
２５Ｃ  噴霧用温水温度検知手段
２６    制御手段
２６Ａ  制御手段
２７    本体
【図１】
2008008529.tif 000003
【図２】
2008008529.tif 000004
【図３】
2008008529.tif 000005
【図４】
2008008529.tif 000006
【図５】
2008008529.tif 000007
【図６】
2008008529.tif 000008